【手続補正書】
【提出日】平成18年9月11日(2006.9.11)
【手続補正１】
【補正対象書類名】明細書
【補正対象項目名】全文
【補正方法】変更
【補正の内容】
【書類名】  明細書
【発明の名称】  ガス計測装置
【特許請求の範囲】
【請求項１】  ガス流路の途中に配設し所定の周期で超音波センサを駆動してガスの使用量を計測する超音波式計測部と、ガス流路内の圧力を測定する圧力センサと、前記圧力センサからの信号に応じて遮断弁を開閉駆動する遮断弁開閉手段と、前記超音波式計測部及び遮断弁開閉手段を制御する制御回路と、前記圧力センサの信号を確認して圧力センサへの電源供給を制御するセンサ確認手段と、前記圧力センサの信号に基づいて前記超音波式計測部によるガス使用量の計測開始を指示する計測開始手段を備えたガス計測装置。
【請求項２】  確認スイッチを設け、この確認スイッチが入るまでは、センサ確認手段が働かないようにする出荷手段を備えた請求項１記載のガス計測装置。
【請求項３】  ガス流路の途中に配設し所定の周期で超音波センサを駆動してガスの使用量を計測する超音波式計測部と、ガス流路内の圧力を測定する圧力センサと、前記圧力センサからの信号に応じて遮断弁を開閉駆動する遮断弁開閉手段と、前記超音波式計測部及び遮断弁開閉手段を制御する制御回路と、ガスが流れたか否かを確認するフロースイッチと、前記圧力センサからの信号と前記フロースイッチからの信号とによりガスの使用量の計測を開始する測定開始手段を備えたガス計測装置。
【発明の詳細な説明】
【０００１】
【発明の属する技術分野】
本発明は、ガスの圧力を検知することで流量計測を開始し、制御回路の消費電力を低減したガス計測装置に関するものである。
【０００２】
【従来の技術】
近年、ガスの使用量を瞬時流量で計測するために超音波センサを利用したものが検討されはじめている。
【０００３】
従来のガス計測装置について図６に基づき説明する。通常、圧力センサ８は図示していないガス配管内のガス圧力の変動をとらえている。急激な圧力変動が生じた場合に、異常かどうかを判定し、異常と判断した場合は遮断弁駆動回路４に遮断信号を出し、遮断弁３を遮断してガスを止める。流量測定は、超音波センサ１と断面積の明確な流路２と超音波センサ駆動回路６を備えており、超音波センサ駆動回路６に所定の時間間隔で信号を送り、超音波センサ１で流路２内を流れるガスの速度を求め、ガスの速度と流路２の断面積より瞬時流量を計測する構成である。
【０００４】
【発明が解決しようとする課題】
しかしながら、超音波センサを利用した流量計測ではガス圧力の有無に関係なく、常に超音波センサ駆動回路が所定の時間間隔で信号を送るため、制御回路の消費電力が多いという課題があった。
【０００５】
【課題を解決するための手段】
上記課題を解決するため本発明のガス計測装置は、ガス流路の途中に配設し所定の周期で超音波センサを駆動してガスの使用量を計測する超音波式計測部と、ガス流路内の圧力を測定する圧力センサと、前記圧力センサからの信号に応じて遮断弁を開閉駆動する遮断弁開閉手段と、前記超音波式計測部及び遮断弁開閉手段を制御する制御回路と、前記圧力センサの信号を確認して圧力センサへの電源供給を制御するセンサ確認手段と、前記圧力センサの信号に基づいて前記超音波式計測部によるガス使用量の計測開始を指示する計測開始手段を備えたもので、ガスの圧力を検知してから、超音波センサ駆動回路が所定の時間間隔で信号を送ることにより、消費電力を低減させることができる。
【０００６】
【発明の実施の形態】
本発明の第１の手段によるガス計測装置は、ガス流路の途中に配設し所定の周期で超音波センサを駆動してガスの使用量を計測する超音波式計測部と、ガス流路内の圧力を測定する圧力センサと、前記圧力センサからの信号に応じて遮断弁を開閉駆動する遮断弁開閉手段と、前記超音波式計測部及び遮断弁開閉手段を制御する制御回路と、前記圧力センサの信号を確認して圧力センサへの電源供給を制御するセンサ確認手段と、前記圧力センサの信号に基づいて前記超音波式計測部によるガス使用量の計測開始を指示する計測開始手段を備えたことにより、制御回路の消費電力を低減させるようにしたものである。
【０００７】
また、ガスの圧力を測定する圧力センサの信号からガス流路内に設けられた遮断弁を開閉させる遮断弁開閉手段を操作し、ガスの使用量の計測を開始する制御回路を備えることにより、確実にガス流量有り無しを確認できるとともに制御回路の消費電力を低減させることができる。
【０００８】
また、定期的に圧力センサの信号を確認するセンサ確認手段を備えることにより、圧力センサを駆動させる制御回路の消費電力も低減させることができる。
【０００９】
本発明の第２の手段によるガス計測装置は、ガス計測装置をガス供給設備に設置したときに設置確認スイッチを押すまでは、センサ確認手段が働かないようにする出荷手段を備えることにより、出荷手段を解除するまでは電力消費を押さえることができる。
【００１０】
本発明の第３の手段によるガス計測装置は、ガスが流れたかを確認するフロースイッチと、前記フロースイッチからの信号と圧力センサからの信号によりガスの使用量の計測を開始する制御回路内に測定開始手段を備えることにより、制御回路の消費電力を低減させることができる。
【００１１】
【実施例】
以下、本発明の実施例について図面を用いて説明する。
【００１２】
（実施例１）
図１は本発明の第１の手段によるガス計測装置を示す構成図である。基本的な構成は従来例の説明と同じで、本実施例と従来例との差異は制御回路７に計測開始手段１０を備えたことである。計測開始手段１０は、圧力センサ８からの信号を検知しガスの圧力があることを確認してから、超音波センサ駆動回路６に電源供給を行う。通常流量計測は超音波センサ１の各計測タイミングで計算している流量を、計測値を所定の回数平均化して流量を計算する。このことからガスの圧力がある場合のみ流量計測を行うため消費電力を低減させることができる。
【００１３】
（実施例２）
図２は本発明の第１の手段によるガス計測装置を示す構成図である。基本的な構成は本発明の第１の手段の実施例の説明と同じで、本実施例と第１の手段の実施例との差異は制御回路７に遮断弁開閉手段１１を備えたことである。遮断弁開閉手段１１では圧力センサ８からガス圧力ありの信号を受けた場合遮断弁３を開け、ガス圧力なしの信号を受けた場合は遮断弁３を閉める。これにより確実にガス流量有り無しを確認できるとともに流量計測に使用する制御回路の消費電力を低減させることができる。
【００１４】
（実施例３）
図３は本発明の第１の手段によるガス計測装置を示す構成図である。基本的な構成は本発明の第１の手段の実施例の説明と同じで、本実施例と本発明の第１の手段の実施例の差異は、制御回路７にセンサ確認手段１３を備えたことである。センサ確認手段１３では圧力センサ８への電源供給をある一定周期で行うことにより、圧力計測および流量計測に使用する制御回路の消費電力を低減させることができる。
【００１５】
（実施例４）
図４は本発明の第２の手段によるガス計測装置を示す構成図である。基本的な構成は本発明の第３の手段の実施例の説明と同じで、本実施例と第３の手段の実施例との差異は制御回路７内に出荷手段１４を備えたことである。出荷手段１４では設置確認スイッチ１５を動作させるまでは、圧力計測や流量計測のおよび外部からの信号を受け付けないように制御回路７の電源供給を抑えることにより、圧力計測および流量計測に使用する制御回路の消費電力を低減させることができる。出荷手段１４を動作させる状態は、ガス配管にガス計測装置を設置後ガス計測装置として動作させるときである。
【００１６】
（実施例５）
図５は本発明の第３の手段によるガス計測装置を示す構成図である。基本的な構成は従来例の説明と同じで、本実施例と従来例の差異は、制御回路７に測定開始手段１６と流路２内に設けられたフロースイッチ１７を加えたことである。測定開始手段１０は、圧力センサ８からの信号を検知しガスの圧力があることを確認し、フロースイッチ１７からの信号でガスの流れがあることを検知してから、超音波センサ駆動回路６に電源供給を行う。このことからガスの圧力と流れがある場合のみ流量計測を行うため消費電力を低減させることができる。
【００１７】
【発明の効果】
以上のように本発明の第１の手段によるガス計測装置によれば、ガスの圧力がある場合のみ流量計測を行うため、ガス圧力がない場合の電力消費を低減させることができる。
【００１８】
また、確実にガス流量有り無しを確認できるとともに流量計測に使用する制御回路の消費電力を低減させることができる。
【００１９】
また、圧力センサへの電源供給をある一定周期で行うことにより、圧力計測および流量計測に使用する制御回路の消費電力を低減させることができる。
【００２０】
本発明の第２の手段によるガス計測装置によれば、圧力計測や流量計測のおよび外部からの信号を受け付けないようするため、圧力計測および流量計測に使用する制御回路の消費電力を低減させることができる。
【００２１】
本発明の第３の手段によるガス計測装置によれば、ガスの流れがある場合のみ流量計測を行うため消費電力を低減させることができる。
【図面の簡単な説明】
【図１】
本発明の実施例１におけるガス計測装置を示す構成図
【図２】
本発明の実施例２におけるガス計測装置を示す構成図
【図３】
本発明の実施例３におけるガス計測装置を示す構成図
【図４】
本発明の実施例４におけるガス計測装置を示す構成図
【図５】
本発明の実施例５におけるガス計測装置を示す構成図
【図６】
従来のガス計測装置を示す構成図
【符号の説明】
１  超音波センサ
２  流路
３  遮断弁
４  遮断弁駆動回路
６  超音波センサ駆動回路
７  制御回路
８  圧力センサ
９  圧力センサ駆動回路
１０  計測開始手段
１１  遮断弁開閉手段
１３  センサ確認手段
１４  出荷手段
１５  設置確認スイッチ
１６  測定開始手段
１７  フロースイッチ
１８  フロースイッチ駆動回路